(57)【特許請求の範囲】
【請求項１】
前方の開口部において開放された収納枠の奥部を室内の壁の厚み内に挿入して設け、開口部に蓋を下端において軸を介して回動自在に取付け、開口部の上方に幕板を設け、幕板の背面に背もたれを上端において軸を介して回動自在に取付け、収納枠に座板を使用姿勢と格納姿勢とに切換え可能に取付け、蓋の裏面側に座板を連結し、蓋の前方への回動に伴う座板の回動につれて背もたれを前方に回動させるとともに背もたれの下端部の背面を押さえて背もたれを使用姿勢に支持する受片を座板の後端に取付けて成ることを特徴とする収納装置。
【発明の詳細な説明】
【０００１】
【発明の属する技術分野】
本発明は、壁、特に腰壁を利用する収納装置に関し、詳しくは、使用者が室内の壁際において腰掛け姿勢に容易になることができ、それでいて、壁の厚みを有効に利用することで腰掛けによって室内空間を狭めないようにしようとする技術に係るものである。
【０００２】
【従来の技術】
従来、室内においては腰掛け姿勢になるには、椅子等を使用するのであり、椅子で室内の空間を狭くするものである。又、玄関で靴を履く場合に、上がり框に腰を掛けておこなうのであるが、上がり框に腰掛けると、腰が低くなり過ぎて靴紐等を結ぶのが窮屈になるという問題がある。そこで、玄関にまで椅子を持ち出しても靴を履きやすい姿勢にはならず、玄関で靴を履くのが面倒になるものとなっていた。
【０００３】
【発明が解決しようとする課題】
本発明はこのような問題を解消しようとするものであり、室内の壁際において腰掛け姿勢に容易になれるとともに、そのための腰掛けにて室内空間を狭くすることがなく、特に、玄関で靴を履く姿勢を楽な姿勢にできる収納装置を提供することを課題とする。
【０００４】
【課題を解決するための手段】
請求項１においては、前方の開口部７において開放された収納枠２の奥部を室内の壁１の厚み内に挿入して設け、開口部７に蓋８を下端において軸９を介して回動自在に取付け、開口部７の上方に幕板１５を設け、幕板１５の背面に背もたれ４を上端において軸１６を介して回動自在に取付け、収納枠２に座板１１を使用姿勢と格納姿勢とに切換え可能に取付け、蓋８の裏面側に座板１１を連結し、蓋８の前方への回動に伴う座板１１の回動につれて背もたれ４を前方に回動させるとともに背もたれ４の下端部の背面を押さえて背もたれ４を使用姿勢に支持する受片２２を座板１１の後端に取付けて成ることを特徴とするものである。
【０００８】
（作用）
請求項１においては、座板１１を使用姿勢に引き出すことで、室内において壁際で容易に腰掛け姿勢になることができ、それでいて、収納枠２は壁１の厚みを利用して構成した収納枠２に格納することができ、室内空間を狭くすることがない。
更に、請求項１においては、開口部７に蓋８を下端において軸９を介して回動自在に取付け、開口部７の上方に幕板１５を設け、幕板１５の背面に背もたれ４を上端において軸１６を介して回動自在に取付け、収納枠２に座板１１を使用姿勢と格納姿勢とに切換え可能に取付け、蓋８の裏面側に座板１１を連結し、蓋８の前方への回動に伴う座板１１の回動につれて背もたれ４を前方に回動させるとともに背もたれ４の下端部の背面を押さえて背もたれ４を使用姿勢に支持する受片２２を座板１１の後端に取付けていて、背もたれ４の使用姿勢において、座板１１の後端に取付けた受片２２によって背もたれ４の下端部の背面を支持する。
【００１２】
【発明の実施の形態】
本発明の実施の形態を図面に基づいて詳述する。
【００１３】
図１は本発明の収納装置Ａを備えた収納キャビネット６の断面図、図２は正面図、図３（ａ）は扉及び蓋を外したキャビネット６の正面図、（ｂ）は断面図、図４及び図５は腰掛け３の格納姿勢及び使用姿勢の断面図である。
【００１４】
収納装置Ａは例えば玄関に設置される下駄箱のようなキャビネット６の正面の中央部に設置してあり、例えば靴を履く場合に引き出して使用するものである。キャビネット６の奥部は例えば玄関の壁１の厚み内に挿入されて設置され、当然に収納装置Ａも壁１の厚み内に挿入されている。以下、収納装置Ａを詳述する。図４に示すように、キャビネット６を構成していて前方が開放された収納枠２の開口部７に蓋８が下端において軸９を介して回動自在に取付けられて開口部７を閉塞できるようにしている。
【００１５】
蓋８の裏面には四連リンク機構１０を介して座板１１を連結してあり、座板１１の上面にはクッション１２を付設してあり、座板１１の後端には金属製のフック１３を取付けてある。収納枠２側には係止ピン１４を横架させてある。
しかして、図５に示すように、蓋８を軸９の廻りに回動させて前方に倒すことで、座板１１の後端のフック１３を係止ピン１４に引っかけることで、座板１１を略水平に維持することができるようにしている。尚、四連リンク機構１０の構成は種々設計変更可能である。
【００１６】
開口部７の上方の幕板１５の背面には軸１６を介して背もたれ４を回動自在に取付けている。背もたれ４にはクッション１７を付設している。座板１１の後端には受片２２を取付けている。
【００１７】
しかして、図５に示すように、蓋８の回動に伴う座板１１の回動につれて背もたれ４を前方に回動させて座板１１の受片２２にて背もたれ４の下端部の背面を押さえて背もたれ４を支持することができるようにしている。腰掛け３を構成している蓋８、座板１１等の格納は上述の動作の逆になる。格納状態においては適宜のロック手段にてロックしておくとよい。
【００１８】
ところで、収納装置Ａはキャビネット６とは別に構成してもよい。
【００１９】
このように、前方が開放された収納枠２の奥部を室内の壁１の厚み内に挿入して設け、収納枠２に腰掛け３を使用姿勢と折りたたむ格納姿勢とに切換え可能に取付けてあって、腰掛け３を使用姿勢に引き出すことで、室内において壁際で容易に腰掛け姿勢になることができ、それでいて、収納枠２は壁１の厚みを利用して構成した収納枠２に折りたたんで格納することができ、腰掛け３にて室内空間を狭くすることがないものである。しかも、収納枠２に背もたれ４を使用姿勢と折りたたむ格納姿勢とに切換え可能に設けてあって、腰掛け３に座った姿勢で背もたれ４に凭れることができ、腰掛け姿勢を、一層、安定させることができるのである。
【００２０】
ところで、使用姿勢の腰掛け３は玄関の上がり框５の高さよりも高くしてあって、玄関で靴を履く姿勢を楽な姿勢にできるものである。
【００２１】
図２及び図３に示すように、収納装置Ａを備えたキャビネット６の左右には扉１８を備えた収納部１９，１９が設けてある。又、収納装置Ａの上方では壁１の厚みに略相当する深さの飾り棚２０を壁１に埋め込んである。飾り棚２０の周部の額縁２１が壁１の面より突出して、飾り棚２０の装飾性を高めている。
【００２２】
図７は本発明の参考例の収納装置Ａを室内の壁１に設置した例を示し、同図（ａ）は斜視図、同図（ｂ）は同上の参考例の収納装置Ａの腰掛け３を使用姿勢にした概略断面図である。但し、本参考例の基本構成は上記実施の形態と共通であり、共通する部分については同一の符号を付して説明は省略する。
【００２３】
本参考例においては、腰掛け３の回動機構は図示はしないが、例えば、蓋８を上端において水平軸廻りに回動する構成が考えられる。
【００２４】
図８は本発明の他の参考例の収納装置Ａを備えたキャビネット６の一側部を玄関の上がり框５の上に載置した例を示している。
【００２５】
図９は本発明の他の参考例の収納装置Ａを玄関の壁１に設置した例を示し、同図（ａ）（ｂ）は斜視図である。但し、本参考例の基本構成は上記実施の形態と共通であり、共通する部分には同一の符号を付して説明は省略する。
【００２６】
本参考例においては、収納枠２の上方の壁１には、飾り棚２０もしくは収納棚２５となる前方が開放された箱体２３を埋め込んだものである。この箱体２３は収納枠２と一連に形成しても、又、別体にしてあってもよいものである。
【００２７】
本参考例においては、収納枠２の上方の壁１に埋め込まれている前方が開放された箱体２３を飾り棚２０もしくは収納棚２５にでき、生け花や絵画を飾ったり、又、腰掛け３を折りたたみ収納している収納枠２の上方の壁面を利用した収納部にスリッパ等の小物を収納でき、使いやすくなるものである。そして、箱体２３を収納部にする場合には、前面に開閉扉２４を付設するとよい。
【００２８】
【発明の効果】
請求項１においては、前方の開口部において開放された収納枠の奥部を室内の壁の厚み内に挿入して設け、開口部に蓋を下端において軸を介して回動自在に取付け、開口部の上方に幕板を設け、幕板の背面に背もたれを上端において軸を介して回動自在に取付け、収納枠に座板を使用姿勢と格納姿勢とに切換え可能に取付け、蓋の裏面側に座板を連結し、蓋の前方への回動に伴う座板の回動につれて背もたれを前方に回動させるとともに背もたれの下端部の背面を押さえて背もたれを使用姿勢に支持する受片を座板の後端に取付けてあるから、座板を使用姿勢に引き出すことで、室内において壁際で容易に腰掛け姿勢になることができ、それでいて、収納枠は壁の厚みを利用して構成した収納枠に折りたたんで格納することができ、室内空間を狭くすることがないという利点がある。
更に、請求項１においては、開口部に蓋を下端において軸を介して回動自在に取付け、開口部の上方に幕板を設け、幕板の背面に背もたれを上端において軸を介して回動自在に取付け、収納枠に座板を使用姿勢と格納姿勢とに切換え可能に取付け、蓋の裏面側に座板を連結し、蓋の前方への回動に伴う座板の回動につれて背もたれを前方に回動させるとともに背もたれの下端部の背面を押さえて背もたれを使用姿勢に支持する受片を座板の後端に取付けていて、背もたれの使用姿勢において、座板の後端に取付けた受片によって背もたれの下端部の背面を支持することができる。
【図面の簡単な説明】
【図１】本発明の実施の一形態を示す断面図である。
【図２】同上の格納状態の全体正面図である。
【図３】（ａ）は同上の扉及び蓋を外した正面図、（ｂ）は扉を付けた状態の断面図である。
【図４】同上の腰掛けを折りたたみ格納した断面図である。
【図５】同上の腰掛けを使用姿勢にした断面図である。
【図６】同上の参考例を示す斜視図である。
【図７】同上の参考例を示し、（ａ）は斜視図、（ｂ）は断面図である。
【図８】本発明の他の参考例を示し、（ａ）は一部省略した正面図、（ｂ）は一部省略した断面図である。
【図９】他の参考例を示し、（ａ）（ｂ）は斜視図である。
【符号の説明】
１    壁
２    収納枠
４    背もたれ
７ 開口部
８ 蓋
９ 軸
１１ 座板
１５ 幕板
１６ 軸
２２ 受片
【図１】
0003620295.tif 000002
【図２】
0003620295.tif 000003
【図３】
0003620295.tif 000004
【図４】
0003620295.tif 000005
【図５】
0003620295.tif 000006
【図６】
0003620295.tif 000007
【図７】
0003620295.tif 000008
【図８】
0003620295.tif 000009
【図９】
0003620295.tif 000010